(57)【要約】      （修正有）【課題】ボタンを押す以外の動作により制御信号を送信することができる車両用携帯機を提供する。【解決手段】車両のユーザに所持されて、車両に搭載された車載機に制御信号を送信する携帯機であって、加速度センサ３１と、加速度センサ３１が出力する信号に基づいて、携帯機の移動方向を判定するセンサ制御ＩＣ３２と、その移動方向に基づいて定まる制御信号を車載機に送信する処理を行う通信制御ＩＣ３７とを備える。携帯機を持って動かせば制御信号を送信できるので、ユーザは、ボタン操作ではない動作で、携帯機から制御信号を送信させることができる。【選択図】図３
2018123638.tif 000002
【特許請求の範囲】
【請求項１】
車両のユーザに所持されて、前記車両に搭載された車載機に制御信号を送信する車両用携帯機であって、
加速度センサ（３１）と、
前記加速度センサが出力する信号に基づいて、前記車両用携帯機の移動方向を判定する移動方向判定部（３２）と、
前記移動方向判定部が判定した移動方向に基づいて定まる制御信号を前記車載機に送信する処理を行う送信制御部（３７）とを備える車両用携帯機。
【請求項２】
請求項１において、
前記加速度センサが検出した加速度が予め設定されたモード移行閾値を超えたことに基づいて、前記車両用携帯機の移動方向に基づいて定まる制御信号を送信可能なアクションモードとするモード制御部（３２）を備る車両用携帯機。
【請求項３】
請求項２において、
前記モード制御部は、前記加速度センサが検出した加速度が前記モード移行閾値を超え、かつ、前記車両用携帯機が予め定めたモード開始パターンで動かされたと判断したことに基づいて前記アクションモードとする車両用携帯機。
【請求項４】
請求項２または３において、
前記モード制御部は、前記送信制御部が前記制御信号を送信したことに基づいて、前記アクションモードを終了する車両用携帯機。
【請求項５】
請求項１〜４のいずれか１項において、
前記送信制御部は、前記移動方向が下から上に向かう方向である場合には、前記車両のドアロックを解除することを指示する前記制御信号を送信し、前記移動方向が上から下に向かう方向である場合には、前記車両のドアロックを施錠することを指示する前記制御信号を送信する車両用携帯機。
【請求項６】
請求項１〜５のいずれか１項において、
前記送信制御部が送信した前記制御信号により前記車載機に指示した制御内容を表示する表示部（１０）を備える車両用携帯機。
【請求項７】
請求項６において、
前記表示部は、前記制御内容を表すアイコンを表示し、
前記表示部に表示された前記アイコンを選択操作するタッチセンサ（２５）をさらに備え、
前記送信制御部は、前記タッチセンサにより前記アイコンが選択操作された後、送信指示がされた場合、前記アイコンに対応する前記制御信号を送信する車両用携帯機。
【発明の詳細な説明】
【技術分野】
【０００１】
本発明は、例えば、車両のドアの施解錠の遠隔操作や、車両のドアの開閉の遠隔操作などに用いる車両用携帯機に関する。
【背景技術】
【０００２】
車両のドアを解錠させることを指示する信号などの制御信号を、電波により、車両に搭載された車載機に送信する車両用携帯機が広く知られている。特許文献１に示されるように、車両用携帯機はボタンを備えており、ボタンが押されると、押されたボタンにより定まる制御を指示する制御信号を車載機に送信する。
【先行技術文献】
【特許文献】
【０００３】
【特許文献１】特許第４３０１３０３号公報
【発明の概要】
【発明が解決しようとする課題】
【０００４】
上述したように、従来、ユーザは、車両用携帯機から制御信号を送信させる際には、ボタンを押す必要があった。ボタンを押す以外の動作により制御信号を送信することができれば、ユーザの利便性が向上する。また、ボタン数を削減できるため、携帯機のサイズダウン及びコストダウンが可能になる。
【０００５】
本発明は、この事情に基づいて成されたものであり、その目的とするところは、ボタンを押す以外の動作により制御信号を送信することができる車両用携帯機を提供することにある。
【０００６】
なお、本発明が提供する車両用携帯機には、ボタン操作により、ボタンを押す以外の動作により制御信号を送信することができるモードに入るものも含む。
【課題を解決するための手段】
【０００７】
上記目的は独立請求項に記載の特徴の組み合わせにより達成され、また、下位請求項は、発明の更なる有利な具体例を規定する。特許請求の範囲に記載した括弧内の符号は、一つの態様として後述する実施形態に記載の具体的手段との対応関係を示すものであって、本発明の技術的範囲を限定するものではない。
【０００８】
上記目的を達成するための本発明は、
車両のユーザに所持されて、車両に搭載された車載機に制御信号を送信する車両用携帯機であって、
加速度センサ（３１）と、
加速度センサが出力する信号に基づいて、車両用携帯機の移動方向を判定する移動方向判定部（３２）と、
移動方向判定部が判定した移動方向に基づいて定まる制御信号を車載機に送信する処理を行う送信制御部（３７）とを備える。
【０００９】
本発明の車両用携帯機は、加速度センサを備えており、加速度センサが出力する信号に基づいて、この車両用携帯機に移動方向を判定できる。そして、移動方向に基づいて定まる制御信号を車載機に送信する。つまり、本発明の車両用携帯機は、車両用携帯機を持って動かせば制御信号を送信できるので、ユーザは、ボタン操作ではない動作で、車両用携帯機から制御信号を送信させることができる。
【図面の簡単な説明】
【００１０】
【図１】携帯機１の平面図である。
【図２】携帯機１の分解斜視図である。
【図３】携帯機１の電気的構成を示すブロック図である。
【図４】センサ制御ＩＣ３２および通信制御ＩＣ３７が実行する処理を示すフローチャートである。
【発明を実施するための形態】
【００１１】
以下、本発明の実施形態を図面に基づいて説明する。図１は、本発明が適用された車両用携帯機（以下、単に携帯機）１の平面図である。携帯機１は車両のユーザに所持されて、車両のドアの施解錠等、車両の遠隔操作を行うために用いられる。
【００１２】
本実施形態の携帯機１は、図１に示すように、平面視で略四角形状であり、表示部１０を備えている。この表示部１０は、メッセージを表示するメッセージ表示領域１１と、アイコン１２を表示するアイコン表示領域１３を備えている。図１の状態では、メッセージ表示領域１１には「ＨＥＬＬＯ」と表示されており、アイコン表示領域１３には、互いに異なる位置に５つのアイコン１２ａ、１２ｂ、１２ｃ、１２ｄ、１２ｅが表示されている。
【００１３】
アイコン１２は、車両に搭載された車載機に対する指示を表す図形である。車載機は、車両ドアのロック、アンロック制御、ドアの開閉制御などを行う。アイコン１２ａは車両ドアのロックを示すアイコンである。アイコン１２ｂは車両ドアのアンロックを示すアイコンである。アイコン１２ｃは車両の右側の電動スライドドアの開閉を示すアイコンである。アイコン１２ｄは車両の左側の電動スライドドアの開閉を示すアイコンである。アイコン１２ｅは車両のバックドアの開閉を示すアイコンである。
【００１４】
ユーザにより、アイコン１２が選択されて制御信号の送信操作が行われると、選択されたアイコン１２に対応する制御信号が車載機に送信される。また、本実施形態の携帯機１は、アイコン１２を選択する操作を行う以外に、携帯機１を振ることでも、制御信号を携帯機１から送信させることができる。なお、アイコン１２の個数、および、アイコン１２が示す制御内容は、上述のものに限定されない。上述した内容のほか、エンジン始動、ウィンドウの開閉などでもよい。
【００１５】
図２は、携帯機１の分解斜視図である。図２を用いて携帯機１の内部構成を説明する。携帯機１は、上カバー２１と下カバー２２を備えている。上カバー２１と下カバー２２の材質は、ここでは樹脂製とする。上カバー２１と下カバー２２の材質は、同じでもよいし、異なっていてもよい。これら上カバー２１と下カバー２２は、外周部にて互いに嵌合されることで筐体２０を構成する。筐体２０は内部に収容空間を備え、筐体２０の内部には、種々の構成部品が収容されている。
【００１６】
また、上カバー２１の上側、すなわち、上カバー２１において下カバー２２とは反対側の面には表示面となる表示カバー２３が配置されている。上カバー２１には、下カバー２２とは反対側の面に表示カバー２３を嵌め入れるための凹みが形成されており、この凹みに表示カバー２３が嵌め入れられている。表示カバー２３の材質は、ここではアクリル製とする。ただし、ポリカーボネートやガラスなど、他の材質とすることもできる。
【００１７】
前述した表示部１０は、表示カバー２３の一部領域である。メッセージ表示領域１１は光透過性となっている。メッセージ表示領域１１の背面側にはディスプレイ２４が配置され、ディスプレイ２４に表示された種々のメッセージを表す光は、メッセージ表示領域１１を透過して携帯機１の外部から視認できる。
【００１８】
アイコン表示領域１３には、アイコン１２の形状に光透過領域が形成されている。アイコン表示領域１３の背面には、センサシート２５などを介してＬＥＤ２８ａ、２８ｂ、２８ｃ、２８ｄ、２８ｅおよびライトガイド２９ａ、２９ｂ、２９ｃ、２９ｄ、２９ｅが配置されている。５つのＬＥＤ２８ａ、２８ｂ、２８ｃ、２８ｄ、２８ｅを区別しないときはＬＥＤ２８と記載し、５つのライトガイド２９ａ、２９ｂ、２９ｃ、２９ｄ、２９ｅを区別しないときはライトガイド２９と記載する。
【００１９】
ＬＥＤ２８が発光した光がライトガイド２９を介してアイコン１２に投光されることで、アイコン１２が携帯機１の外部から視認できる。表示カバー２３において、メッセージ表示領域１１およびアイコン表示領域１３となっていない部分は、遮光性となっている。
【００２０】
表示カバー２３が上カバー２１に取り付けられた状態では、表示カバー２３と上カバー２１との間にも、収容空間が形成される。この収容空間に、ディスプレイ２４、センサシート２５、スペーサ２６、フレキシブルプリント基板（ＦＰＣ：Ｆｌｅｘｉｂｌｅ  Ｐｒｉｎｔｅｄ  Ｃｉｒｃｕｉｔｓ。以下、ＦＰＣ）２７などが収容されている。
【００２１】
上カバー２１の背面には、ディスプレイ２４とセンサシート２５が、ほぼ同じ高さに並んで配置されている。ディスプレイ２４は、たとえば有機ＥＬディスプレイである。ディスプレイ２４には、前述の「ＨＥＬＬＯ」など種々の文字が表示される。
【００２２】
センサシート２５は、透明であって、５つのタッチセンサ部２５ａ、２５ｂ、２５ｃ、２５ｄ、２５ｅを備えている。これら５つのタッチセンサ部２５ａ、２５ｂ、２５ｃ、２５ｄ、２５ｅは静電容量式タッチセンサであり、アイコン１２に対応する箇所の静電容量の変化を検出する。このセンサシート２５は、請求項のタッチセンサに相当する。静電容量式タッチセンサは、センサ電極とユーザの指などにより構成されるコンデンサの静電容量変化を検知することで、操作面に触れられたことを検出するセンサである。
【００２３】
ディスプレイ２４およびセンサシート２５の背面にはスペーサ２６が配置され、スペーサ２６の背面にＦＰＣ２７が配置されている。ＦＰＣ２７は両面テープなどで上カバー２１の底面に固定される。
【００２４】
ＦＰＣ２７において表示カバー２３側である上面には、ＬＥＤ２８、ライトガイド２９、下側センサ３０、加速度センサ３１が固定されている。また、ＦＰＣ２７の下面にはセンサ制御ＩＣ３２（図３参照）が実装されている。
【００２５】
ライトガイド２９は、アイコン１２と同数設けられており、かつ、各ライトガイド２９はアイコン１２に対向する位置に配置されている。ライトガイド２９はアクリル樹脂などの透明な導光材により形成されている。光源としてのＬＥＤ２８はライトガイド２９と同数設けられており、それぞれのＬＥＤ２８はライトガイド２９に隣接する位置に配置されている。また、ＬＥＤ２８は、駆動電流の調整により明るさが調整可能になっている。
【００２６】
下側センサ３０ａ、３０ｂ、３０ｃ、３０ｄ、３０ｅは、それぞれ、ライトガイド２９ａ、２９ｂ、２９ｃ、２９ｄ、２９ｅの下側のＦＰＣ２７上に形成されている。５つの下側センサ３０ａ、３０ｂ、３０ｃ、３０ｄ、３０ｅを区別しないときは下側センサ３０と記載する。下側センサ３０は、センサシート２５と同様、透明な静電容量式タッチセンサである。
【００２７】
スペーサ２６は、ライトガイド２９の部分が貫通穴になっている。したがって、下側センサ３０は、センサシート２５とライトガイド２９を介して対向している。また、ライトガイド２９とセンサシート２５との間には隙間が存在している。センサシート２５は、表示カバー２３が、ユーザの指により押されて撓むと、表示カバー２３の撓みに応じて下方に撓む。このとき、ライトガイド２９とセンサシート２５との隙間が狭くなり、下側センサ３０が検出する静電容量に変化が生じるので、下側センサ３０は、表示カバー２３をユーザの指が押圧していることを検出できる。つまり、表示カバー２３の背面に、センサシート２５と下側センサ３０が配置されている構成は、下側センサ３０の出力により、表示カバー２３のアイコン１２が表示されている位置が押されたことを検出する感圧センサ３３を構成する。
【００２８】
表示カバー２３においてアイコン１２が表示されている位置は、タッチセンサ部２５ａ〜２５ｅによりアイコン１２ａ〜１２ｅが選択されるアイコン選択位置である。
【００２９】
加速度センサ３１は携帯機１に生じる加速度を検出するためのものであり、ｘ軸、ｙ軸、ｚ軸の３軸に生じる加速度を検出する。加速度センサ３１は検出した加速度を表す加速度信号を出力する。加速度センサ３１が検出する加速度は、携帯機１の移動および移動方向の判定に用いられる。判定する必要がある移動方向が２軸あるいは１軸である場合には、加速度センサ３１が検出する加速度の方向を２軸あるいは１軸としてもよい。
【００３０】
通信基板３４は、上カバー２１と下カバー２２により形成された収容空間に配置されている。通信基板３４の裏面には、コネクタ３５（図３参照）が実装されている。このコネクタ３５を介して通信基板３４とＦＰＣ２７は電気的に接続されている。したがって、通信基板３４に実装されている部品の一部を、ＦＰＣ２７に実装することもできる。また、反対に、ＦＰＣ２７に実装されている部品の一部を通信基板３４に実装することもできる。
【００３１】
通信基板３４の裏面には、バッテリー３６と通信制御ＩＣ３７（図３参照）が実装されている。コネクタ３５により通信基板３４とＦＰＣ２７が電気的に接続されているので、バッテリー３６の電力はＦＰＣ２７に実装された電気部品にも供給される。バッテリー３６は、本実施形態ではボタン型の電池である。通信制御ＩＣ３７は、制御信号の送信制御などを行う。
【００３２】
通信基板３４には、他に、ＲＦアンテナ３８とＬＦアンテナ３９（図３参照）も実装されている。ＲＦアンテナ３８は、３１５ＭＨｚなど、ＲＦ帯の電波を送信するためのアンテナである。ＬＦアンテナ３９は、１３５ｋＨｚなどＬＦ帯の電波を受信するためのアンテナである。
【００３３】
また、通信基板３４の側面にはタクタイルスイッチ４０が実装されている。タクタイルスイッチ４０は、下カバー２２の側面に配置されたノブ４１を介して、携帯機１の外部から押すことができる。タクタイルスイッチ４０は、押されているときにのみオンになるスイッチである。
【００３４】
筐体２０の収容空間には、他に、エマージェンシーキー４２、リリースフック４３、スプリング４４なども収容されている。エマージェンシーキー４２は、車両に設けられたキーシリンダに挿入して、直接に車両ドアやトランク等の施開錠を行うメカニカルキーである。エマージェンシーキー４２は、電池切れにより携帯機１の通信機能が使用不能になっている時の非常用として用いることができる。
【００３５】
エマージェンシーキー４２は、キーシリンダに挿入されるキー部４２ａと、キー部４２ａをキーシリンダに挿入する際にユーザによって把持される把持部４２ｂとを備える。把持部４２ｂは、エマージェンシーキー４２が携帯機１に保持された状態にあるときに、携帯機１の外形の一部、詳しくは携帯機１の下側側面の一部を構成する。
【００３６】
リリースフック４３およびスプリング４４は、エマージェンシーキー４２を携帯機１に保持する保持機構として機能する。リリースフック４３は、スプリング４４の付勢力によりロック位置にあるとき、エマージェンシーキー４２の一部と係合する。リリースフック４３がユーザにより、スプリング４４により付勢されている方向とは反対方向に移動させられると、エマージェンシーキー４２とリリースフック４３との係合が解除され、エマージェンシーキー４２を携帯機１から引き抜き可能な状態になる。
【００３７】
図３は、携帯機１の電気的構成を示す図である。図３に示すように、タッチセンサ部２５ａ〜２５ｅ、下側センサ３０ａ〜３０ｅ、ＬＥＤ２８ａ〜２８ｅ、加速度センサ３１、ディスプレイ２４は、センサ制御ＩＣ３２に接続されている。一方、ＲＦアンテナ３８、ＬＦアンテナ３９、タクタイルスイッチ４０は通信制御ＩＣ３７に接続されている。
【００３８】
バッテリー３６は通信基板３４に実装されている。ただし、通信基板３４とＦＰＣ２７はコネクタ３５を介して相互に接続されているので、バッテリー３６からの電力は、ＦＰＣ２７に実行された種々の電子部品にも供給される。
【００３９】
センサ制御ＩＣ３２および通信制御ＩＣ３７はともに、ＣＰＵ、ＲＯＭ、ＲＡＭ等を備えたコンピュータであり、複数の信号線とコネクタ３５とにより互いに接続されている。センサ制御ＩＣ３２は、タッチセンサ部２５ａ〜２５ｅから供給される信号に基づいてアイコン１２ａ〜１２ｅに対してタッチ操作が行われたことを検出する。また、下側センサ３０ａ〜３０ｅから供給される信号に基づいてアイコン１２ａ〜１２ｅが押圧されたことを検出する。
【００４０】
センサ制御ＩＣ３２は、アイコン１２ａ〜１２ｅが選択操作された後、さらに、押圧操作されたことを検出した場合には、そのことを示す信号を通信制御ＩＣ３７へ出力する。
【００４１】
また、センサ制御ＩＣ３２は、加速度センサ３１から供給される信号に基づいて、携帯機１に起動閾値以上の加速度が生じたことを検出する。起動閾値は、携帯機１が持ち上げられたときに生じる加速度を検出できる閾値である。さらに、センサ制御ＩＣ３２は、携帯機１に起動閾値以上の加速度が生じたことを検出した場合に、一定時間、携帯機１を起動状態にする。
【００４２】
起動状態は、タッチセンサ部２５ａ〜２５ｅ、下側センサ３０ａ〜３０ｅに電源を供給して、それらタッチセンサ部２５ａ〜２５ｅ、下側センサ３０ａ〜３０ｅが静電容量の変化に応じた信号を出力可能な状態である。
【００４３】
また、センサ制御ＩＣ３２は、ＬＥＤ２８ａ〜２８ｅの駆動制御およびディスプレイ２４の表示制御を行う。起動状態の開始時には、ＬＥＤ２８ａ〜２８ｅを点灯させるとともに、ディスプレイ２４に所定の文字を表示する。一方、タッチセンサ部２５ａ〜２５ｅ、下側センサ３０ａ〜３０ｅに電源が供給されない状態がスリープ状態である。
【００４４】
起動状態では、加速度センサ３１が出力する加速度信号に基づいて、携帯機１が振られた方向、つまり、携帯機１の移動方向を判定する。そして、その移動方向を通信制御ＩＣ３７に通知する。よって、センサ制御ＩＣ３２は請求項の移動方向判定部として機能する。なお、移動方向の判定は、起動状態であって、かつ、後述するアクションモードである場合に限り行えばよい。
【００４５】
移動方向の判定は、重力加速度を検出している方向を下方向とし、その反対方向を上方向として判定する。上下方向の他に、３軸の加速度センサ３１により検出可能な方向として、左右方向と前後方向がある。なお、ここでの左右方向および前後方向は、携帯機１を手に持っているユーザを基準と下方向である。
【００４６】
左右方向と前後方向は、いずれも上下方向に直交するので、左右方向であるか前後方向かを判断するためには、携帯機１を振る際に、ユーザが携帯機１を持つ向きを決めておく必要がある。携帯機１を振る際にユーザが携帯機１を持つ向きは、たとえば、表示部１０が上になり、かつ、アイコン１２ａ、１２ｅを比較したときに、アイコン１２ｅがユーザの近くにある向きとする。携帯機１を振る際にユーザが携帯機１を持つ向きは、操作説明書に記載しておく。また、ディスプレイ２４に表示してもよい。
【００４７】
左右方向と前後方向のうち、いずれか一方を、移動方向を判定する方向としてもよいし、両方を、移動方向を判定する方向としてもよい。ユーザが携帯機１を振る方向は、厳密に、上下方向など、移動方向を判定する方向になることは少ない。したがって、移動方向を判定する際には、方向判定閾値以上の加速度を検出した場合に、判定する複数の移動方向のうち、検出した携帯機１の移動方向が最も近い方向を、携帯機１の移動方向とする。方向判定閾値は、あまり加速度が小さい場合には、ユーザが意図して携帯機１を振ったのではない可能性が高いので、そのような小さい加速度で方向判定しないようにするための閾値である。
【００４８】
本実施形態では、携帯機１を振ると、携帯機１が振られた方向に応じて定まる制御信号を送信することができる。携帯機１を振ることにより制御信号を送信可能な状態を、以下、アクションモードとする。本実施形態では、アクションモードとするかどうかも、センサ制御ＩＣ３２が決定するものとする。したがって、センサ制御ＩＣ３２は、請求項のモード制御部としても機能する。
【００４９】
起動状態であれば常にアクションモードとしてもよい。しかし、本実施形態では、起動状態において、さらに、アクションモードへの移行条件が成立したときに、アクションモードに移行する。アクションモードへ移行する条件は、たとえば、タクタイルスイッチ４０が２回連続して短押しされたこと、という条件とすることができる。この条件に加えて、あるいは、この条件に代えて、携帯機１が、モード移行閾値を超えた加速度、かつ、予め設定されたモード開始パターンで動かされたという条件とすることもできる。
【００５０】
モード移行閾値は、ユーザが意図しないにもかかわらずアクションモードに移行してしまうこと抑制するために設定されている閾値であり、たとえば、方向判定閾値と同じ値にすることができる。
【００５１】
モード開始パターンを例示すると、たとえば、携帯機１を下から上に持ち上げるパターン、水平方向に移動させるパターン、それらの組み合わせなどとすることができる。また、モード開始パターンは、移動方向に加えて、移動距離を定めることもできる。加速度と加速度が生じている時間から移動距離も算出できるので、モード開始パターンに移動距離を含めることができる。
【００５２】
携帯機１はカバンに入れることも多いと考えられる。カバンは持ち運び時に種々の方向に動かされるので、モード開始パターンを１つの移動方向のみ、かつ、移動距離を設定しないと、ユーザが意図しないにもかかわらず、アクションモードに移行する恐れが高くなる。これに対して、移動方向を複数組み合わせたり、移動距離も設定して、その移動距離を長めにしたモード開始パターンとすることで、意図せずアクションモードに移行してしまうことを抑制できる。
【００５３】
なお、ＦＰＣ２７と通信基板３４はコネクタ３５により電気的に接続されているので、上述したセンサ制御ＩＣ３２の機能の一部または全部を、通信制御ＩＣ３７が実行してもよい。また、反対に、通信制御ＩＣ３７の機能の一部または全部をセンサ制御ＩＣ３２が実行してもよい。
【００５４】
センサ制御ＩＣ３２は、携帯機１を起動状態とするかスリープ状態とするかを制御する。通信制御ＩＣ３７は、センサ制御ＩＣ３２から、アイコン１２が押圧操作されたことを示す信号を取得した場合に、押圧操作されたアイコン１２に応じて定まる制御信号を表す電波をＲＦアンテナ３８から送信する。
【００５５】
また、アクションモードでは、センサ制御ＩＣ３２は、携帯機１が振られた方向を通信制御ＩＣ３７に通知する。通信制御ＩＣ３７は、携帯機１が振られた方向が通知された場合、携帯機１の移動方向に基づいて定まる制御信号を表す電波をＲＦアンテナ３８から送信する。したがって、通信制御ＩＣ３７は請求項の送信制御部として機能する。
【００５６】
また、通信制御ＩＣ３７は、ＬＦアンテナ３９が受信した電波を復調して、車載機からのリクエスト信号を受信したか否かを逐次判定する。リクエスト信号を受信したと判定した場合には、リクエスト信号に応答するレスポンス信号を生成して、ＲＦアンテナ３８から送信する。
【００５７】
スリープ状態においてタクタイルスイッチ４０が押された場合には、センサ制御ＩＣ３２は、携帯機１を起動状態へ移行させる。一方、起動状態でタクタイルスイッチ４０が１回のみ短押しされた場合には、携帯機１をスリープ状態へ遷移させる。
【００５８】
図４は、センサ制御ＩＣ３２および通信制御ＩＣ３７が実行する処理のうち、アクションモードにおける処理およびアクションモードへの移行処理を示すフローチャートである。センサ制御ＩＣ３２と通信制御ＩＣ３７は相互に繋がっているので、図４に示す各ステップの処理を、センサ制御ＩＣ３２と通信制御ＩＣ３７のどちらが実行してもよい。また、各ステップ内の処理をセンサ制御ＩＣ３２と通信制御ＩＣ３７が分担して実行してもよい。たとえば、図４において、ステップＳ８は通信制御ＩＣ３７が実行し、他のステップはセンサ制御ＩＣ３２が実行する。
【００５９】
図４に示す処理は、携帯機１が、スリープ状態から起動状態になった場合に開始する。なお、スリープ状態において、加速度センサ３１により検出された加速度が起動閾値以上となった場合、または、タクタイルスイッチ４０が短押しされた場合に、起動状態に遷移する。
【００６０】
起動状態に遷移した場合、まず、ステップ（以下、ステップを省略する）Ｓ１において、起動時表示を行う。起動時表示は、ディスプレイ２４に、起動時に表示する文字列として設定された起動時文字列を表示する。起動時文字列は、たとえば「ＨＥＬＬＯ！」あるいは「ＨＥＬＬＯ！ＳＴＡＮＤ  ＲＥＡＤＹ！」などである。
【００６１】
また、起動時表示では、全部のアイコン１２も点灯させる。本実施形態では、起動時のアイコン１２の明るさは、１つのアイコン１２が選択されたときの明るさよりも低くする。たとえば、起動時のアイコン１２の明るさを、１つのアイコン１２が選択されたときの明るさの２０％とする。
【００６２】
なお、アクションモードとは関係しないが、起動時には、センサシート２５および下側センサ３０に電源を供給する。これにより、タッチセンサ部２５ａ〜２５ｅはアイコン１２に指などが触れたことを検知可能になり、感圧センサ３３はアイコン１２の部分が押圧されたことを検知可能になる。
【００６３】
Ｓ２では、アクションモードへ移行する操作が行われたか否かを判断する。アクションモードへの移行操作は、前述したように、たとえば、タクタイルスイッチ４０の２回の短押し操作、あるいは、モード開始パターンで携帯機１を振るという操作である。
【００６４】
Ｓ２の判断がＮＯであればＳ３に進む。Ｓ３では、継続して無操作である時間がスリープ時間以上になったか否かを判断する。スリープ時間は、適宜設定する時間であり、たとえば５秒間、あるいは１０秒間などである。Ｓ３の判断がＹＥＳであればＳ１１に進む。Ｓ１１に進む場合には携帯機１はスリープ状態になる。スリープ状態とする理由は、消費電力抑制のためである。
【００６５】
Ｓ３の判断がＮＯであればＳ４に進む。Ｓ４では、タクタイルスイッチ４０が短押しされたか否かを判断する。Ｓ４の判断がＹＥＳである場合にもＳ１１に進むので、携帯機１はスリープ状態になる。
【００６６】
Ｓ４の判断もＮＯであれば、Ｓ５へ進む。Ｓ５ではアクションモードであるか否かを判断する。アクションモードであればＳ７へ進み、アクションモードでなければ再びＳ２の判断に戻る。なお、図４は、アクションモードに関連する処理を示しており、これとは別に、起動状態においてアイコン１２が選択された後、押圧操作がされれば、アイコン１２に対応する制御信号が送信される。
【００６７】
Ｓ２の判断がＹＥＳになった場合にはＳ６に進む。この場合、アクションモードに移行することになる。Ｓ６では、ディスプレイ２４に、アクションモードに移行したことを示し、かつ、携帯機１を振ることを促すメッセージである「ＡＣＴＩＯＮ！」を表示する。
【００６８】
Ｓ７では、ジェスチャー入力があったか否かを判断する。ジェスチャー入力は、制御信号を送信させるために携帯機１を振る動作によって生じる加速度の入力である。ジェスチャーを例示すると、たとえば、携帯機１を上方向に振る動作を、すなわち、携帯機１を下から上に向かう方向に移動させる動作を、ドアロックの解錠を指示する制御信号を送信する動作とすることができる。携帯機１を下方向に振る動作、すなわち、携帯機１を上から下に向かう方向に移動させる動作を、ドアロックを施錠する指示する制御信号を送信する動作とすることができる。携帯機１を右に振る動作は、右側の電動スライドドアの開閉を指示する制御信号を送信する動作とすることができる。携帯機１を左に振る動作は、左側の電動スライドドアの開閉を指示する制御信号を送信する動作とすることができる。
【００６９】
Ｓ７の判断がＮＯである場合にはＳ３に進む。一方、Ｓ７の判断がＹＥＳになった場合にはＳ８に進む。Ｓ８では、送信するコマンドに対応するメッセージを、ディスプレイ２４に表示する。このメッセージは、たとえば、「ＬＯＣＫ」、「ＵＮＬＯＣＫ」などである。また、送信するコマンドに対応するアイコン１２のみ点灯させ、他のアイコン１２は消灯させ、かつ、選択されたアイコン１２の明るさを最大値とする。
【００７０】
Ｓ９では、ジェスチャー入力により定まるコマンドを実行することを指示する制御信号を、車載機に送信する。続くＳ１０では、コマンドの送信が完了したことを意味するメッセージである「Ｔｒａｎｓｍｉｓｓｉｏｎ  ｃｏｍｐｌｅｔｅ」をディスプレイ２４に表示する。また、送信したコマンドに対応するアイコン１２を点滅させる。点滅回数は、たとえば、メッセージの表示中に１回、メッセージを表示し終えた後に３回とする。なお、Ｓ８およびＳ１０の処理は、アイコン１２を選択して制御信号を送信させる場合にも実行する。Ｓ１０を実行した場合もＳ１１へ進む。
【００７１】
Ｓ１１では、スリープ状態へ移行することを意味するメッセージである「ｓｈｉｆｔ  ｔｏ  ｓｌｅｅｐ  ｍｏｄｅ」をディスプレイ２４に表示する。その後、ディスプレイ２４を消灯する。また、アイコン１２も消灯する。つまり、表示部１０をオフにする。
【００７２】
Ｓ１０を実行した後にＳ１１を実行する場合、アクションモードが終了することになる。つまり、本実施形態において、アクションモードの終了は、スリープ状態へ移行することを意味する。
【００７３】
［実施形態のまとめ］
本実施形態の携帯機１は、加速度センサ３１を備えており、加速度センサ３１が出力する加速度信号に基づいて携帯機１がどの方向に振られたかを判定できる。そして、携帯機１が振られた方向により定まる制御信号を車載機に送信する。つまり、本実施形態の携帯機１は、携帯機１を振れば制御信号を送信できるので、ユーザは、ボタン操作ではない動作で、携帯機１から制御信号を送信させることができる。
【００７４】
また、本実施形態では、加速度がモード移行閾値を超えた場合にアクションモードに移行する。したがって、アクションモードに移行する際にもボタン操作が不要となる。さらに、起動状態とする際にも、ボタン操作が不要である。したがって、ユーザは、携帯機１を振る動作だけで、スリープ状態の携帯機１を起動させて制御信号を送信することができる。
【００７５】
また、携帯機１を振ることによりアクションモードに移行するためには、加速度がモード移行閾値を超えたことに加えて、モード開始パターンで携帯機１が動かされる必要がある。したがって、ユーザが意図しないのにもかかわらず、アクションモードに移行してしまうことを抑制できる。
【００７６】
また、本実施形態では、Ｓ１０、Ｓ１１に示されるように、制御信号を送信した場合、アクションモードを終了して、スリープ状態に入る。これにより、スリープ時間が経過するのを待ってスリープ状態に入る場合に比較して省電力化が図られる。
【００７７】
また、本実施形態の携帯機１の表示部１０は、アクションモードで送信したコマンドを表すメッセージ、および、そのコマンドに対応するアイコン１２を表示する。これにより、ユーザは、携帯機１を振る動作により、どのコマンドが送信されたかを確認することができる。
【００７８】
また、本実施形態では、上記アイコン１２を選択して、送信指示としての押し込み操作を行っても、制御信号を送信することができる。つまり、本実施形態では、アイコン１２が、ジェスチャー入力により送信されたコマンドをユーザに通知する機能と、コマンド送信のためのタッチスイッチとしての機能を兼ねている。よって、これらの機能を別々の場所に配置する場合に比較して、携帯機１を小型化することができる。
【００７９】
さらに、メッセージ表示領域１１を備えており、このメッセージ表示領域１１に、制御信号が送信されたことを示すメッセージである「Ｔｒａｎｓｍｉｓｓｉｏｎ  ｃｏｍｐｌｅｔｅ」が表示される。これによっても、ユーザは、制御信号が送信されたことを確認できる。
【００８０】
以上、本発明の実施形態を説明したが、本発明は上述の実施形態に限定されるものではなく、次の変形例も本発明の技術的範囲に含まれ、さらに、下記以外にも要旨を逸脱しない範囲内で種々変更して実施できる。なお、以下の説明において、それまでに使用した符号と同一番号の符号を有する要素は、特に言及する場合を除き、それ以前の実施形態における同一符号の要素と同一である。また、構成の一部のみを説明している場合、構成の他の部分については先に説明した実施形態を適用できる。
【００８１】
＜変形例１＞
前述の実施形態で示した携帯機１は、ユーザが手に持つタイプであった。しかし、携帯機１を、ユーザが腕に装着するタイプとしてもよい。このようにすれば、携帯機１をカバンから取り出す手間もなく、腕を振るだけで、種々の制御信号を送信することができる。
【００８２】
＜変形例２＞
ジェスチャー入力により送信できるコマンドは、前述の実施形態で例示したコマンドに限られない。たとえば、電動バックドアの開閉を指示する制御信号をジェスチャー入力により送信できるようになっていてもよい。また、ＬＦアンテナ３９で通信ができている場合に限り、電動バックドアの開閉を指示する制御信号をジェスチャー入力により送信できるようになっていてもよい。
【符号の説明】
【００８３】
１：携帯機  １０：表示部  １１：メッセージ表示領域  １２：アイコン  １３：アイコン表示領域  ２０：筐体  ２１：上カバー  ２２：下カバー  ２３：表示カバー  ２４：ディスプレイ  ２５：センサシート  ２５ａ〜２５ｅ：タッチセンサ部  ２６：スペーサ  ２７：ＦＰＣ  ２８：ＬＥＤ  ２９：ライトガイド  ３０：下側センサ  ３１：加速度センサ  ３３：感圧センサ  ３４：通信基板  ３５：コネクタ  ３６：バッテリー  ３８：ＲＦアンテナ  ３９：ＬＦアンテナ  ４０：タクタイルスイッチ  ４１：ノブ  ４２：エマージェンシーキー  ４２ａ：キー部  ４２ｂ：把持部  ４３：リリースフック  ４４：スプリング  ３２：センサ制御ＩＣ  ３７：通信制御ＩＣ
【図１】
2018123638.tif 000003
【図２】
2018123638.tif 000004
【図３】
2018123638.tif 000005
【図４】
2018123638.tif 000006